Podtech/llm-jp-corpus-v4-ja_patent huggingface dataset:
(57)【要約】      （修正有）【課題】従来の温熱パックは体の芯から温めることができず、コリや痛みを癒す作用が弱かったが、暖めた炭を患部に置くとコリや痛みが取れて癒される。しかし、炭は汚れるため、使用することが困難であった。【解決手段】耐水性があり難燃性で粉塵の発生がなく汚れない炭ペレットを得て、これを布袋に封入して温熱パックにした。常温でも効果はあるが、電子レンジで暖めて使用すると患部の芯から温まって痛みやコリが取れて癒される。【選択図】図１
2008295987.tif 000002
【特許請求の範囲】
【請求項１】
難燃性で粉塵の発生がなく汚れない炭ペレットを布袋に入れたものであり、電子レンジで加熱して使用できる炭温熱パック。
【発明の詳細な説明】
【技術分野】
【０００１】  身体の具合が悪い部分を暖めてコリや痛みを癒す炭温熱パック。
【背景技術】
【０００２】  特開２００４−１２１７３１に温灸パックを、もぐさ成分に、塩ビ／又は砕石と共に、米糠を混合した混合物を布製袋に封入した温熱パックはある。また、電子レンジで暖める粘液を封入した温熱パックは周知である。【０００３】  しかし、粘液状温熱パックを使用すると暖かさはあるが、芯から暖める作用はなく使用感がよくなかった。【０００４】  本発明の温熱パックは、常温でも電子レンジで暖めても使用できる温熱パックであり、炭の遠赤外線効果を利用して体の深部から暖めてコリや痛みを癒すものである。【０００５】
【参考文献】
特開２００４−１２１７３１
【発明の開示】
【発明が解決しようとする課題】
【０００６】  従来の温熱パックには、患部を芯から温める作用や、冷めて常温になった後でも継続して患部を温めて癒す作用はなく、コリや痛みを癒す効果は弱かった。【０００７】  炭化物に共通するが、特に木炭には常温で使用しても患部を温めて癒す一定の作用があり、加熱して使用すれば更に癒し効果が増大することを発見した。木炭の中では高温炭化した備長炭が最も効果的であるが、炭化物でも一定の効果はある。しかし、炭は汚れるため使用できなかった。【０００８】  近年、強度が強く粉塵が出ない難燃性の炭ペレットが開発されたのを機会に、袋内部にこの炭ペレットを封入することによって、炭の遠赤外線効果を利用して患部の芯から温めて癒すことが可能になった。
【課題を解決するための手段】
【０００９】  従来の炭では、温熱パックや座布団として使用するためには、粉が出ない微細織目の不織布などに包む必要があり、２重袋になるために使用感が悪い。また、使用していると、どうしても粉塵が生じて汚れる。【００１０】  更に炭や不織布は燃えやすいため電子レンジでの加熱時間が長くなると燃える恐れがある。【００１１】  このように今までは炭の使用は困難であったが、最近、強固で、粉塵が生じない難燃性の炭ペレットの生産が可能となり、汚れない炭ペレットを得ることができるようになった。【００１２】  本発明に使用する炭ペレットは粉炭をペレットに成形したものであるため、木炭、活性炭、木を除く有機物の炭化物のいずれも使用できるが、備長炭粉原料の木炭ペレットが最も望ましい。【００１３】  炭にはいわゆる遠赤効果があって、加熱しなくても体を芯から暖める作用があることが発明者の発見によっても判明している。また炭ペレットは電子レンジで簡単に加熱することができ、保温特性もよい。【００１４】  本発明はこのような炭の作用や特性をコリや痛みや疲れを癒す目的に利用するために、難燃性で粉塵の発生がなく汚れない炭ペレットを袋に封入して、温熱パックにしたのが特徴である。
【発明の効果】
【００１５】  炭ペレットを封入した袋は常温での使用で効果があり、しかも袋の生地や柄によっては、見た目に美しく、職場や飛行機の中で疲れを癒すことができる。更に暖めると肩こりや膝の痛みを一層癒すことができるため、特に高齢者の健康維持に寄与して活動的な行動の促進に貢献できる。【００１６】  美容室やエステサロンでの使用は心地よい時間を創造し、心身を癒すことができる。【００１７】  座布団に使用する場合、炭ペレットだけだと固くて痛いため、上にクッションを設けるのが望ましいが、炭の摩擦係数が大きいためお尻が固定されて体がずれない他、痔に対して効果がある。
【発明を実施するための最良の形態】
【００１８】  袋には熱に強いコットン生地が望ましく、保温性のよい柔らかな厚手の生地がよい。図１のような構造で首、肩用はセーラー形にして、膝用など局所を暖めるには平形にすればよい、座布団にする場合は図２のように炭ペレットの上にクッションを設ける構造がよい。【００１９】  ペレット状炭は備長炭粉末を成形したものを封入するのが望ましい。
【実施例】
【００２０】  セーラー形に縫製した布袋に木炭ペレットを３００〜７００ｇ入れた試作品の常温試用を実施した結果、首周りに置くと、首や肩が温まって心地よく、数十分すると首や肩が暖かくなって気持ちよいとの回答を試用者の過半数から得た。
さらに６００ワットの電子レンジで１分３０秒間加熱して使用すると、首と肩を芯から温めてコリや疲れを癒すことができる回答が使用者全員からあった。【００２１】  また、平型袋に木炭ペレットを４００ｇ入れた試作品の常温試用を実施した結果、患部に置いていると暖かくなって痛みが和らぐ回答が半数であった。更に電子レンジで４０秒間加熱して試用すると、腹、膝など患部の芯から温めて痛みを癒すことができる回答を使用者の過半数から得た。【００２２】  これらの結果から、炭入り温熱パックには痛みや疲れを和らげ癒す作用があり、図１、図２の構造が使い勝手が良い。そして体に載せて使用するものでは木炭ペレットの使用重量は１ｋｇ未満が適当であることが確認された。【００２３】  袋の形は使用場所によって使い勝手がいいように様々にできる。
【産業上の利用可能性】
【００２４】  体の痛みや疲れた部分を芯から暖めて癒す機能を有するために、薬では効かない痛みや疲れを取る治療に関して使用できる。更に血流をよくする炭の働きを利用して、医療分野、介護分野に使うことができる。
【図面の簡単な説明】
【００２５】
【図１】  炭温熱パックの断面図。
【図２】  炭ペレット入り座布団の断面図。
【符号の説明】
【００２６】１．  袋
２．  炭ペレット
３．  スポンジ
【図１】
2008295987.tif 000003
【図２】
2008295987.tif 000004
(57)【要約】【課題】  隣り合う脚板が互いに咬合できるように形成された咬合片を両端に有する脚板と、該足板の中央部に２枚の板体を並設して、下敷き等を差し込んで垂直に支持するための支持板からなるバックスタンドを提供する。【解決手段】  隣り合う脚板が互いに咬合できるように形成された咬合片を両脇に有する脚板を設け、該足板の中央部に２枚の板体を並設して、下敷き等を差し込んで垂直に支持するための支持板を設けることを特徴としたバックスタンド。【選択図】図１
2008295984.tif 000002
【特許請求の範囲】
【請求項１】
隣り合う脚板が互いに咬合できるように形成された咬合片を両端に有する脚板と、該脚板の中央部に２枚の板体を並設することで、下敷き、段ボール板等を差し込んで垂直に支持するための支持板を形成することを特徴とするバックスタンド。
【発明の詳細な説明】
【技術分野】
【０００１】  本発明は、隣り合う脚板が互いに咬合できるように形成された咬合片を有する脚板と、該足板の中央に２枚の板体を並設して、下敷き、段ボールなどを差し込んで垂直に支持するための支持板によりバックの収納、整理、型崩れを防止するためのバックスタンドに関するものである。
【背景技術】
【０００２】  従来、寸法の決まったバックラックがあった。
【発明の開示】
【発明が解決しようとする課題】
【０００３】  そのために、次のような問題点があった。
（イ）バックは形状・素材・大きさ等が多種多様であり、重なり合ったり絡み合いやすく、個々のバックに合わせた状態で収納するのが困難だった。
（ロ）バックの取っ手の接続部分が傷みやすく、柔らかい素材のものは本体も折れじわ等ができやすかった。
本発明は、これらの問題を解決するためになされたものである。
【問題を解決するための手段】
【０００４】  隣り合う脚板が互いに咬合できるように形成された咬合片を両脇に有する脚板を設ける。該足板の中央部に２枚の板体を並設して、下敷き、段ボール等を差し込んで垂直に支持するための支持板を設ける。
以上を特徴とするバックスタンドである。
【発明の効果】
【０００５】  バックの幅や高さ、取っ手の長さに合わせてバックを個別に収納できるので折れ曲がりや絡み合いによる傷みを防止できる。また、収納場所を選ばず、収納スペースの無駄もなくなる。
【発明を実施するための最良の形態】
【０００６】  以下、本発明の実施の形態について説明する。
（イ）隣り合う脚板（２）が互いに咬合できるようにカギ型に形成された咬合片（２ａ、２ｂ）を両脇に互い違いに有する脚板（２）の中央部に２枚の板体（１ａ、１ｂ）を並設して、下敷き、段ボール等を差し込んで垂直に支持するための支持板（１）を形成する。
本発明は以上のような構成で、これを使用するときは、２組の支持板（１）の脚板（２）を咬合し、それぞれの支持板（１）にバックの大きさに合った下敷き等を差し込む。バックの幅により咬合片を両脇に有する脚板（２）を２組の支持板（１）の脚板（２）の間に咬合し幅を調節する。
支持板（１）、下敷き等で支えられるためバックが左右に倒れる心配が無く、下敷き等を取っ手の長さに合わせれば、取っ手を折り曲げずに収納することが出来るので接続部分の折れ曲がりによる損傷を防ぐことができる。
支持板（１）で個別に収納されるため、両側のバックに影響はなく、収納するときもスペースが確保されているため出し入れが楽である。
【実施例】
【０００７】  以下、本発明の実施例について説明する。
支持板（１）に差し込む下敷き等を、挿し込み孔（３ａ、３ｂ、３ｃ）を有する仕切り板（３）替え、これに挿し込み片（４ａ、４ｂ、４ｃ、４ｄ）を有する棚板（４）を組み合わせることにより、仕切り板（３）の間を上下に区切り、または、仕切り板（３）の上を棚として使うことができ、選りスペースを効率よく使うことができる。
【図面の簡単な説明】
【０００８】
【図１】  本発明の斜視図
【図２】  本発明の実施例の斜視図
【図３】  本発明の実施例の部分詳細図（ａ）は仕切り板の詳細図（ｂ）は棚板の詳細図
【図４】  本発明の使用状態を示す図
【符号の説明】
【０００９】  １  支持板
１ａ、１ｂ  板体
２  脚板
２ａ、２ｂ  咬合片
３  仕切り板
３ａ、３ｂ、３ｃ  挿し込み孔
４  棚板
４ａ、４ｂ、４ｃ、４ｄ  挿し込み片
５  バックスタンド本体
【図１】
2008295984.tif 000003
【図２】
2008295984.tif 000004
【図３】
2008295984.tif 000005
【図４】
2008295984.tif 000006
(57)【要約】【課題】  杖や傘使用者が、カウンターやテーブル・机等に、杖や傘などを容易に保持できるホルダーを提供する。【解決手段】  杖や傘などに使用するホルダーのいずれかの部分に粘着マットを取り付けたことを特徴とする。【選択図】図１
2008295989.tif 000002
【特許請求の範囲】
【請求項１】
杖や傘などに使用するホルダーのいずれかの部分に、粘着マットを取り付けたことを特徴とする。
【請求項２】
前記杖の柄の一部に装着したホルダーのいずれかの部分に、粘着マットを取り付けたことを特徴とする請求項１記載の杖ホルダー。
【請求項３】
前記傘の柄の一部に装着したホルダーのいずれかの部分に、粘着マットを取り付けたことを特徴とする請求項１記載の傘ホルダー。
【発明の詳細な説明】
【技術分野】
【０００１】  本発明は、カウンターやテーブル・机等に、杖や傘などを容易に保持できるホルダーに関するものである。
【背景技術】
【０００２】  従来、杖や傘使用者は、杖や傘を手から離して置く場合、その杖や傘を壁等に立てかけたり、カウンターやテーブル・机等の上に置いていた。
【特許文献】  特開２００２−６５４４４
【発明の開示】
【発明が解決しようとする課題】
【０００３】  そのために、次のような課題があった。
（イ）    杖や傘を壁等に立てかけた場合には、杖や傘の上端が壁面を滑って床面に倒れやすく、またカウンターやテーブル・机等の上に置いた場合邪魔になり、不都合を余儀なくされていた。そして、杖や傘が床面に倒れた場合や落下した場合に、杖や傘使用者は杖や傘を拾う為に身体を屈めなくてはならず、特に身体の弱い高齢者や身体障害者にとって、きわめて厳しい動作を余儀なくされていた。
（ロ）    従来の杖に取り付けて使用する杖ホルダーは、操作が煩雑で、カウンターやテーブル・机等に立て掛けても滑りやすく倒れてしまっていた。
（ハ）    従来のカウンターやテーブル・机等に設置された杖ホルダーは、数が少なく探すのも苦労で、挿入も煩雑である。
（ニ）    傘の柄に取り付けて使用する傘専用のホルダーはなかった。
本発明は、以上の課題を解決しようとするものである。
【課題を解決するための手段】
【０００４】  本発明は、杖や傘などのホルダーのいずれかの部分に、粘着マットを取り付けたことを特徴とする粘着マット付ホルダーである。
【発明の効果】
【０００５】  本発明は、杖や傘などのホルダーのいずれかの部分に粘着マットを装着し、カウンターやテーブル・机等に容易に安全・安定に保持するというものである。【０００６】  今迄の杖や傘は、カウンターやテーブル・机等に置いた時、安定性に欠け倒れてしまっていた。この粘着マット付ホルダーがあれば、粘着マットの接着力により、杖や傘などを容易に安全・安定にカウンターやテーブル・机等に置くことができる。【０００７】  従来、杖をカウンターやテーブル・机等に保持する時は、杖ホルダー等に頼っていたが、杖ホルダーは、操作が煩雑。またカウンターやテーブル・机等に設置されたホルダーは、その杖ホルダーを探すのに苦労している。【０００８】  この粘着マット付ホルダーは、柄の部分を水平にカウンターやテーブル・机等に置くことが出来、自然な動作で、煩わしさがない。【０００９】  また、傘専用に使える傘ホルダーは無かった。【００１０】  この前記粘着マット付ホルダーは、粘着マットが接着する部分があれば、接着する相手の形状（たとえば円形や凸面）を問わず保持できるため、杖や傘など使用者にとってとても便利である。
【発明を実施するための最良の形態】
【００１１】  図１は、杖の柄の部分に装着した粘着マット付杖ホルダー（１）の斜視図である。本発明は以上のような構造で、これを使用する時は、テーブルや机・カウンター等に、うえ前記ホルダーの粘着マット部分（２）を押し付けて、その粘着マットの接着力により杖を安全・安定に保持する。【００１２】  図２は、傘の柄の部分に装着した粘着マット付傘ホルダー（３）の斜視図である。本発明は以上のような構造で、これを使用する時は、テーブルや机・カウンター等に、前記ホルダーの粘着マット部分（２）を押し付けて、その粘着マットの接着力により傘を安全・安定に保持する。
【産業上の利用可能性】
【００１３】    本発明に係る前記粘着マット付ホルダーは、工業的に量産することが可能であるため、産業上の利用可能性を有する。
【図面の簡単な説明】
【００１４】
【図１】    本発明の杖に装着した、粘着マット付杖ホルダーの斜視図である。
【図２】    本発明の傘に装着した、粘着マット付傘ホルダーの斜視図である。
【符号の説明】
【００１５】  １    粘着マット付ホルダー
２    粘着マット
３    粘着マット付傘ホルダー
【図１】
2008295989.tif 000003
【図２】
2008295989.tif 000004
(57)【要約】【課題】洗濯したＴシャツ等の衣類を、ハンガーに掛けて陽光に当てて干す際に襟首周りが陽光に晒されて日焼けしてしまうのを防ぐ日焼け防止カバーを提供する。【解決手段】円の一部を扇状に切り欠いた略円盤状の布の端と端を重ね、円錐状の覆いカバー本体を形成し、ハンガーフックの挿入孔、開口部、裾部を設け、洗濯したＴシャツ等の衣類に覆いカバーをかけて日焼けを防止することを特徴とする日焼け防止カバーである。【選択図】図１
2008295981.tif 000002
【特許請求の範囲】
【請求項１】
円の一部を扇状に切り欠いた略円盤状の布の端と端を重ね、円錐状の覆いカバー本体を形成し、ハンガーフックの挿入孔、開口部、裾部を設け、洗濯したＴシャツに覆いカバーをかけて日焼けを防止することを特徴とする日焼け防止カバーである。
【発明の詳細な説明】
【技術分野】
【０００１】  本発明は、洗濯したＴシャツ等の衣類を、ハンガーに掛けながら陽光に当てて干す際に、衣類が日焼けをおこすので、日焼けから守る為の、日焼け防止カバーに関するものである。
【背景技術】
【０００２】  従来、衣類が日焼けしないようにと裏返しにして干すと、襟首穴があるため襟首穴部分から露出している表背の部分が、陽光に晒されて日焼けをおこし白くなっていた。
【発明の開示】
【発明が解決しようとする課題】
【０００３】  そのために次のような問題点があった。
干した衣類は、日焼けをおこした部分と日焼けしない部分とで色むらができていた。この為、衣類を着用した時に美観を損ねていた。
本発明は以上の問題点を解決しようとするものである。
【課題を解決するための手段】
【０００４】  円の一部を扇状に切り欠いた略円盤状の布の端と端を重ね円錐状の覆いとなるカバー本体を形成し、ハンガーフック挿入孔、開口部、裾部を設ける。洗濯したＴシャツ等の衣類に覆いとなるカバーをかけて日焼けを防止する。以上を特徴とする日焼け防止カバーである。
【発明の効果】
【０００５】  本発明は、ハンガーを用いてＴシャツを裏返して干した時に、ハンガーの上方から日焼け防止カバーをかぶせ、ハンガーのフック部分を開口部から出した状態にして干すのであるが、襟首まわりは日焼け防止カバーによって覆われ、裾部は交差させている為、開口部は常に閉じた状態である。その為、襟首穴部分が陽光に晒されることはない。
また開口部が大きいのでハンガーのフックの出し入れが楽である。
【発明を実施するための最良の形態】
【０００６】  以下、本発明の実施の形態を説明する。
（イ）円の一部を扇状に切り欠いた、略円盤状の布の端部（５ａ）及び端部（５ｂ）を重ねて、円錐状の覆い部となるカバー本体（１）を形成する。
（ロ）カバー本体（１）の円錐状の頂点を貫通させ、挿入孔（２）とする。
（ハ）カバー本体（１）の頂点より前裾部（３）にかけて、開口部（４）を設ける。
本発明は、以上の構成よりなっている。
本発明を使用する時は、洗濯したＴシャツを裏返しにしてハンガーに掛ける。ハンガーのフック（６）を日焼け防止カバーの裾部（３）より差込み開口部（４）より出す。そして日焼け防止カバーをつけたハンガーを竿などに吊るす。
この結果、襟首周りは日焼け防止カバーですっぽりと覆われている為、陽光に晒されて日焼けをおこすことはない。
【図面の簡単な説明】
【０００７】
【図１】本発明の斜視図
【図２】本発明の展開図
【図３】本発明の斜視図
【図４】本発明の使用図
【符号の説明】
【０００８】  １  カバー本体
２  挿入孔
３  裾部
４  開口部
５  端部
６  フック
【図１】
2008295981.tif 000003
【図２】
2008295981.tif 000004
【図３】
2008295981.tif 000005
【図４】
2008295981.tif 000006
(57)【要約】【課題】  様々な世代の人の心身の健康維持増進に役立つ遊具として、メトロノーム内蔵ボールを提供する。【解決手段】  お手玉様のボール（１）に、衝撃吸収材（２）におおわれた小型電気メトロノーム（３）を内蔵したことを特徴とする。【選択図】図１
2008295988.tif 000002
【特許請求の範囲】
【請求項１】
お手玉様のボール（１）に、衝撃吸収材（２）におおわれた小型電気メトロノーム（３）を内蔵した、メトロノーム内蔵ボール
【発明の詳細な説明】
【技術分野】
【０００１】  この発明は、お手玉様のボール（１）に、衝撃吸収材（２）におおわれた小型電気メトロノーム（２）を内蔵した、メトロノーム内蔵ボールに関するものである。
【背景技術】
【０００２】  従来、実に多様な種類の見かけや感触をもつお手玉様のボールがあり、様々な世代の人が、遊具として用いてきたが、一定のリズム音を発するお手玉様のボールはなかった。
【発明の開示】
【発明が解決しようとする課題】
【０００３】  これには、次のような欠点があった。
近年、リズミカルな運動をすることが、心身の健康の維持増進のために有効であることが指摘され、お手玉様のボールを用いた遊びや運動が、その手段の一つとして注目されている。
しかし、ボール遊びが苦手な人や、不慣れな人にとっては、その動機づけに乏しく、また実際に、ボールを手にとったとしても、リズミカルな遊びや運動に導くことは困難であることが多かった。
本発明は、以上のような欠点をなくすためになされたものである。
【課題を解決するための手段】
【０００４】  お手玉様のボール（１）に、衝撃吸収材（２）におおわれた小型電気メトロノーム（３）を内蔵する。本発明は、以上の構成よりなるメトロノーム内蔵ボールである。
【発明の効果】
【０００５】  ボールに内蔵されたメトロノームから聞こえる音が、ボール遊びが苦手な人や、不慣れな人の動機づけを促進し、音に合わせてボールを投げたり等、容易にリズミカルな遊びや運動に導くことが可能である。
【発明を実施するための最良の形態】
【０００６】  以下、本発明を実施するための最良の形態について説明する。
お手玉様のボール（１）に、衝撃吸収材（２）におおわれた小型電気メトロノーム（３）を内蔵する。
本発明は、以上のような構造で、これを使用するときは、メトロノームを始動させ、その音に合わせて、ボールを投げたり等すればよい。また、ボールを用いる人の好みに応じて、メトロノームのピッチやリズムを調整すればよい。
【図面の簡単な説明】
【０００７】
【図１】  本発明の分解斜視図である。
【符号の説明】
【０００８】１  お手玉様のボール
２  衝撃吸収材
３  小型電気メトロノーム
【図１】
2008295988.tif 000003
(57)【要約】【目的】マスクの形を色々の形にし、彩色等を施し美的感覚を養うもので、見る大衆の方々心に和やかさを与えるものである。例を言えば病院の看護士マスクの花模様用等【構成】マスクの形を小鳥、花、動物などの形、又は彩色し、淡い色彩感覚で彩色し、白地マスクのチョット汚れた薄汚い見苦しさから解放を行うものである。【選択図】図１
2008295997.tif 000002
【特許請求の範囲】
【請求項１】
現在使用されているマスクは白地一色で、使っているうちにくすんだ白色なり、美観的に薄汚く見える。
これを解決するために、マスクに彩色を施したり、マスクの形をかえて、これに絵を猫き不快感からの脱出をはかるものである。
【発明の詳細な説明】
【発明の詳細な説明】
【産業上の利用分野】
【０００１】マスクの形を花や蝶、小鳥や色々の形にし、絵を猫き美観的なマスクにし、色々の職場や業種（病院等）に異なったデザインを取り入れ、又  個人的にも使用し、薄汚い不快感からの脱出を行う。
【背景技術】
【０００２】従来のマスクは白地一色で、使っているうちにだんだんと薄汚くなっていく。
形も単純な形しか作成されていない。
【発明が解決しようとする課題】
【０００３】従来のマスクに絵の彩色したり、形を色々の形（花、蝶、小鳥、他）にし絵の色彩を派手にしないで、淡い色にして美的感覚を重視したマスクにする。
【課題を解決するための手段】
【０００４】まずマスクに絵の彩色、又形を色々の物（花、蝶、小鳥、他）にし、マスクに色彩を施し、美的感覚を重視したマスクに変える。
【作用】
【０００５】現在の一蓮托生の白地のマスクを脱出し、例えば病院の場合は各診療科によって異なったマスクを使用すると、和やかな雰囲気が醸し出される。
【発明の効果】
【０００６】ここ最近花粉症で、道行く人のマスク姿が多く、何となく憂鬱な数カ月が醸し出されているが、マスクに絵の猫いたり、形を変え、淡い色彩感覚で彩色を施して使用すると、何となく廻りの人の雰囲気が和やかになってくる。
【図面の簡単な説明】
【図１】形を変えたマスクの例
【図２】彩色を施したマスクの例
【図３】彩色を施したマスクの例
【図４】猫の形にした子供のマスク例
【符号の説明】
１−マスク本体
２−ヒモ
【図１】
2008295997.tif 000003
【図２】
2008295997.tif 000004
【図３】
2008295997.tif 000005
【図４】
2008295997.tif 000006
(57)【要約】【課題】    底が平らである棺おけを運ぶ際、持ちやすいように底面に溝をつけた棺おけを提供する。【解決手段】棺おけの底面に指をかけることが出来る溝を設けたことを特徴とする。【選択図】図１
2008295995.tif 000002
【特許請求の範囲】
【請求項１】
棺おけの底面に指をかけることが出来る溝を設けた溝付き棺おけ。
【発明の詳細な説明】
【技術分野】
【０００１】  この発明は、棺おけの底面に指をかけることが出来る溝を設けた棺おけに関するものである。
【背景技術】
【０００２】  従来、棺おけの底面は平らになっていた。
金具等の取っ手のついている棺おけもあるが、２箇所に限られていた。
【発明の開示】
【発明が解決しようとする課題】
【０００３】  これは次のような欠点があった。
まず第一に、棺おけの底面が平らなため、特に斜面がある階段等を移動する際、指のかけられる場所が無いので、重く、不安定で、滑りやすく、運ぶのに大変苦労した。
第二に、一部金属等の取っ手の付いた棺おけもあるが、荼毘に付した後、金属片が燃え残る等、後始末処理にも困っている。
第三に取っ手が付いている場合、取っ手の場所が固定されているので取っ手を持つことが出来る人数が限定される。
本発明は、以上のような欠点をなくすためにされたものである。
【課題を解決するための手段】
【０００４】  以上の課題を解決するために、棺おけの底面に指をかけることが出来る溝を設けたことを特徴とする棺おけである
【発明の効果】
【０００５】  棺おけの底面に溝を設けるという作業で、指をかける場所が出来て、力が入りやすく、滑りにくく、運びやすい。そして新たに取っ手を設ける必要性がなく、全ての棺おけに対応出来る。棺おけ底面の側面に合わせて溝が付いているので、持つ場所を限定されることが無く、多人数においてどこを持つことも可能である。
【発明を実施するための最良の形態】
【０００６】  この発明の一実施形態を図１に示す。
棺おけ底面の側面に合わせて指のかかる溝を設ける。
【図面の簡単な説明】
【０００７】
【図１】    本発明の底面図である。
【符号の説明】
【０００８】  １  棺おけの底面
２  溝
【図１】
2008295995.tif 000003
(57)【要約】      （修正有）【課題】食器乾燥器の全体、或いは、部分を通気性を持つ材料で覆うことにより、食器乾燥室に外部から害虫が侵入することを防止する食器乾燥器防虫カバーを提供する。【解決手段】乾燥室の底部と、蓋固定部、及び、蓋開閉部、更には、蓋開閉部蝶番周辺などの乾燥室を形成する全壁面の、ゴキブリや蟻などの害虫が出入りできる程度以上の大きさの隙間に対して、金属や非金属、其の他樹脂などの高分子材料などで作成した、変形が容易で、食器乾燥風に対して耐熱性と通気性を持ち、害虫の通過を阻止する材料で作ったカバーで覆う。【選択図】なし【特許請求の範囲】
【請求項１】
食器乾燥器の蓋を閉めたときに形成される乾燥室と外部空間との間のゴキブリや蟻などの害虫が通過できる「隙間」に関して、食器乾燥用の熱風に対する耐熱性と通気性と上記害虫の通過を阻止する性能を併せ持つ材料をその構成部品とするところのカバーを用いて、上記「隙間」部分を覆う、或いは食器乾燥器全体を覆う、若しくは、包み込む、ことにより害虫の食器乾燥器への侵入を阻止する食器乾燥機の防虫カバー。
【発明の詳細な説明】
【産業上の利用分野】
【０００１】台所用品
【背景技術】
【０００２】従来の食器乾燥器では乾燥室の開閉蓋の隙間などから、外部の害虫が乾燥室に容易に出入することができた。
【課題】
【０００３】食器乾燥器の全体、或いは、部分を通気性を持つ材料で覆うことにより、食器乾燥室に外部から害虫が侵入することを防止する食器乾燥器防虫カバーを考案する。
【手段】
【０００４】乾燥室の底部と、蓋固定部、及び、蓋開閉部、更には、蓋開閉部蝶番周辺などの乾燥室を形成する全壁面の、ゴキブリや蟻などの害虫が出入りできる程度以上の大きさの隙間に対して、金属や非金属、其の他樹脂などの高分子材料などで作成した、変形が容易で、食器乾燥風に対して耐熱性と通気性を持ち、害虫の通過を阻止する材料で作ったカバーで覆うことを解決手段とする。
【実施の形態例１】
【０００５】一般に市販されている乾燥器の乾燥室の上蓋の固定部分と上蓋の開閉部分について、乾燥室を閉じた状態において、上記の両上蓋とその蝶番部、及び、それらと乾燥室底部との間に形成されるところの隙間を形成する部分全体を、ポリエチレン製のメッシュなどで構成したカバーで覆う。そのためのカバーの周辺部端部と蓋、或いは、乾燥器本体底部などとは、接着、或いは、蜜着させる。着脱ができる性能の接着剤、或いは、紐や簡易密着テープを用いると、メッシュを含むカバーの着脱が容易となり洗浄が容易となる。
【実施の形態例２】
【０００５】食器乾燥器の乾燥室、或いは、食器乾燥器全体を耐熱性のメッシュ材料を含むカバーで覆う構造としてもよい。その場合、防虫カバーの下部が、食器乾燥器の下部本体部の上面或いは側面に密着するタイプ、または、食器乾燥器の据え据え置かれた平面上にカバーを密着させるタイプ、或いは、防虫カバーを底付きとし、カバーの底部と上部袋状部分をチャックなどで繋ぐ構造とし、食器乾燥器の下にカバーの底部が敷きこまれるタイプとしてもよい。
【発明の効果】
【０００６】ゴキブリなどの害虫が食器乾燥器に侵入して、食器を汚染することが防止でき、食器の衛生保持手段として有益である。
(57)【要約】      （修正有）【課題】頭皮のケアとして必要な、毛穴を塞いでしまう酸化した皮脂や老廃物の洗浄効果と地肌の血行を促進するマッサージ効果の両方がともに優れた頭皮ケア用ブラシを提供する。【解決手段】基台に横断面形状が、ほぼ真円または楕円、あるいは矩形、三角形その他の多角形の太径ブリッスル２と、その周囲に、太径ブリッスルより長い、横断面形状が、ほぼ真円または楕円、あるいは矩形、三角形その他の多角形の細径ブリッスル３を配設した構成とする。【選択図】図１
2008295992.tif 000002
【特許請求の範囲】
【請求項１】
基台に横断面形状が、ほぼ真円または楕円、あるいは矩形、三角形その他の多角形の太径ブリッスルの周囲に、太径ブリッスルより長い、横断面形状が、ほぼ真円または楕円、あるいは矩形、三角形その他の多角形の細径ブリッスルを配設したことを特徴とする頭皮クレンジングマッサージ用ブラシ。
【発明の詳細な説明】
【技術分野】
【０００１】本発明は、頭皮及び毛穴の洗浄及びマッサージ用ブラシに関する。
【背景技術】
【０００２】従来より、洗髪時に使用する頭皮用ブラシとして種々のものが知られているが、頭皮のケアとして必要な、毛穴を塞いでしまう酸化した皮脂や老廃物の洗浄効果と地肌の血行を促進するマッサージ効果の両方がともに優れたものは見当たらない。【０００３】優れたマッサージ効果があるとした、マッサージ用太径ブリッスルと洗浄用細径ブリッスルを合わせたもの（特開２０００−１３９５６７）は地肌表面に浮いている皮脂や汚れは落とせても、毛穴を塞いでしまっている皮脂や老廃物を、地肌を痛めることなく洗浄することは容易でない。
【発明の開示】
【発明が解決しようとする課題】
【０００４】本発明の技術的課題は、前述の問題を解決するため、頭皮のケアとして必要な、毛穴を塞いでしまう酸化した皮脂や老廃物の洗浄効果と地肌の血行を促進するマッサージ効果の両方がともに優れた頭皮ケア用ブラシを提供することである。
【課題を解決するための手段】
【０００５】前記課題を解決するため本発明は、太径ブリッスルの周囲に、太径ブリッスルより長い、細径ブリッスルを配設した頭皮クレンジングマッサージ用ブラシとする。
【発明の効果】
【０００６】上述した構成の頭皮クレンジングマッサージ用ブラシ使用時には、当接する先端部の緩やかな凹状部が地肌に密着することでマッサージ効果を高める太径ブリッスルと、その太径ブリッスルがストッパーの役目をすることで、細径ブリッスルが一定の力で地肌に接し、皮膚に食い込んだり、皮脂を過度に除去し過ぎないとともに、細径ブリッスルが柔軟にしなり、動くことで樹脂の反発弾性による頭皮への捻り、揉み効果が生まれ、皮脂や老廃物を浮き上がらせて除去するという効果がある。
【発明を実施するための最良の実施の形態】
【０００７】本発明の頭皮クレンジングマッサージ用ブラシは、把持部とその裏側に、太径ブリッスル及び周囲に太径ブリッスルより長い細径ブリッスルを配設した基台部より構成される。
【実施例】
【０００８】本発明品の実施の形態を図１〜図６に基づいて説明する。図１〜図４は、本発明品の頭皮クレンジングマッサージ用ブラシそれぞれ正面図、側面図、底面図、平面図であり、図５は本発明品の太径ブリッスルと細径ブリッスルの配設状態を示す図で、図６はその使用状態を示す説明図である。【０００９】把持部構成材料は、ポリプロピレン、ポリエチレン、ＡＳ樹脂などの汎用樹脂が使用される。【００１０】基台部及び太径ブリッスル、細径ブリッスルの構成材料は、スチレン系エラストマーが望ましいが、ポリエチレン、ポリウレタン、シリコーン等の弾性樹脂を挙げることもできる。【００１１】太径ブリッスルと細径ブリッスルの配設状態は図３及び図５に示すとおり、先端部が緩やかな凹状に形成された太径ブリッスルの周囲に、太径ブリッスルより概ね１ｍｍ〜５ｍｍ長めの細径ブリッスルを適宜の距離をおいて配設される。【００１２】上述のように配設されることで、使用時には図６に示すように、当接する先端部の緩やかな凹状部が地肌に密着することでマッサージ効果を高める太径ブリッスルと、その太径ブリッスルがストッパーの役目をすることで、細径ブリッスルが一定の力で地肌に接し、皮膚に食い込んだり、皮脂を過度に除去し過ぎないとともに、細径ブリッスルが柔軟にしなり、動くことで樹脂の反発弾性による頭皮への捻り、揉み効果が生まれ、皮脂や老廃物を浮き上がらせて除去する。【００１３】すなわち頭皮のケアとして必要な、毛穴を塞いでしまう酸化した皮脂や老廃物の洗浄効果と地肌の血行を促進するマッサージ効果の両方がともに優れた頭皮ケア用ブラシが提供されるものである。
【図面の簡単な説明】
【図１】本発明品の頭皮クレンジングマッサージ用ブラシの正面図。
【図２】頭皮クレンジングマッサージ用ブラシの側面図。
【図３】頭皮クレンジングマッサージ用ブラシの底面図。
【図４】頭皮クレンジングマッサージ用ブラシの平面図。
【図５】頭皮クレンジングマッサージ用ブラシの太径ブリッスルと細径ブリッスルの配設状態を示すＡ−Ａ線断面図。
【図６】頭皮クレンジングマッサージ用ブラシの使用状態を示す説明図。
【符号の説明】
１  把持部
２  太径ブリッスル
３  細径ブリッスル
４  基台部
５  地肌
【図１】
2008295992.tif 000003
【図２】
2008295992.tif 000004
【図３】
2008295992.tif 000005
【図４】
2008295992.tif 000006
【図５】
2008295992.tif 000007
【図６】
2008295992.tif 000008
(57)【要約】【課題】  財布の使用時に、小銭を取り出しやすくする財布を提供する。【解決手段】  収納部に複数の仕切板を介して、小銭の種別を分別して収容できる小銭分別支払い簡単財布。【選択図】図１
2008295979.tif 000002
【特許請求の範囲】
【請求項１】
収納部に複数の仕切板を介して、小銭の種別を分別して収容できる小銭分別支払い簡単財布。
【発明の詳細な説明】
【技術分野】
【０００１】  本発明は、財布使用時に小銭を簡単に分別、支払いをすることが出来るように仕切りを設けた財布に関するものである。
【技術背景】
【０００２】  従来、小銭使用時、財布の中で小銭がごちゃ混ぜになり取り出すのに時間がかかった。
【発明の開示】
【発明が解決しようとする課題】
【０００３】  その為に次のような問題点があった。
スーパーやバスに乗る時など小銭を使用際、時間がかかり支払いの効率が悪かった。
本発明は以上の問題点を解決しようとするものである。
【課題を解決するための手段】
【０００４】  収納部に複数の仕切板を介して、小銭の種別を分別して収容できる小銭分別支払い簡単財布。
【発明の効果】
【０００５】  本発明は小銭が種類別に仕切られているため、支払い時に小銭を取り出す時にわずらわしさがなく楽である。
【発明を実施するための最良の形態】
【０００６】  以下、本発明の実施の形態を説明する。
（イ）  収納部（１）と中蓋板（２）と蓋（３）とからなる四角形状の箱体（４）の財布（５）であって、収納部（１）には複数の仕切板（６）によって、小部屋（７）を設ける。
（ロ）  中蓋板（２）の表面（８）にカードを入れる事が出来る収容部（９）を複数設ける。
（ハ）  財布（５）の蓋（３）の外側（１０）に札（１１）を入れる事ができる収容部（１２）を設ける。
本発明は、以上の構成よりなっている。
本発明を使用する時は、小部屋（７）から小銭を出し、札（１１）は財布（５）の蓋（３）の外側（１０）の収容部（１２）から取り出し、カードは中蓋板の表面（８）や蓋（３）の内側に設けたカードを入れる収容部（９）から取り出す。また、お釣の小銭も種類別に小部屋（７）に瞬時にしまうことが出来る。
【図面の簡単な説明】
【０００７】
【図１】  本発明の斜視図
【図２】  本発明の小銭選別の斜視図
【図３】  本発明の全体図
【符号の説明】
【０００８】    １    収容部
２    中蓋板
３    蓋
４    四角形状の箱体
５    財布
６    仕切板
７    小部屋
８    中蓋板の表面
９    収容部
１０  財布の外側
１１  札
１２  収容部
【図１】
2008295979.tif 000003
【図２】
2008295979.tif 000004
【図３】
2008295979.tif 000005
(57)【要約】【課題】  人が下肢関節固有感覚促通運動を簡便に行うために、下駄型ローラーペダルに足部を載せ鼻緒を足指で挟み込み、足指筋力強化運動を行えるのと同時に自由に床面を滑走させて股関節、膝関節、足関節の運動制御の練習となるように工夫した下駄型ローラーペダル運動装置を提供する。【解決手段】  下駄型ペダル本体（１）に鼻緒穴（４）を設け、鼻緒穴（４）に鼻緒（２）に設け、下駄型ペダル本体（１）の底面にローラー（３）を設けたことを特徴とした下駄型ローラーペダル運動装置。【選択図】図１
2008295980.tif 000002
【特許請求の範囲】
【請求項１】
下駄型ペダル本体（１）に鼻緒穴（４）を設け、鼻緒穴（４）に鼻緒（２）に設け、下駄型ペダル本体（１）の底面にローラー（３）を設けたことを特徴とした下駄型ローラーペダル運動装置。
【発明の詳細な説明】
【技術分野】
【０００１】  本発明は、下駄型ペダル本体に鼻緒穴を設け、鼻緒穴に鼻緒に設け、下駄型ペダル本体の底面の四隅にローラーを設けたことを特徴とした下駄型ローラーペダル運動装置で、人が下肢関節固有感覚促通運動を簡便に行うために、底の４隅にローラーを設置した下駄型ペダルに足部を載せて鼻緒を足指で挟み込み、足指でのペダルの固定力を強化し、床面滑走運動をしやすい様に工夫したものである。
また、鼻緒を足指で挟み続けることで足指把握力、足指内転筋力の筋力強化運動も同時に実施可能とした下駄型ローラーペダル運動装置に関するものである。
【背景技術】
【０００２】  従来、人の股関節、膝関節、足関節の関節固有感覚の促通練習としては、医療機器やリハビリテーション関連機器としてコンピューター内臓のものが存在した。
このような機器は、使用操作が煩雑で又高額な機器が多く、さらに機器が大きく設置には広い場所を必要とした。
特定の研究機関や大学病院などに設置されているのみで、一般病院や学校などではほとんど設置されていない。
【発明が解決しようとする課題】
【０００４】  人の股関節、膝関節、足関節の関節固有感覚の促通練習をするには、高価な測定機器を所有しなければならず、又コンピューター内臓の運動機器が多いため操作に要する設定や方法が煩雑であった。
さらに運動機器が大きく設置や扱いに困難な場合があった。
本発明は、これらの課題を解消するためになされたものである。
【課題を解決するための手段】
【０００５】  下駄型ペダル本体（１）に鼻緒穴（４）を設ける。
鼻緒穴（４）に鼻緒（２）に設ける。
下駄型ペダル本体（１）の底面にローラー（３）を設ける。
以上のように構成された下駄型ローラーペダル運動装置。
【発明の効果】
【０００６】  廉価で、また、携帯可能である上に異なる肢位や体位の場面に応じることができる。
下肢に変形性関節症等の疾患を持つ患者にも座位での運動で適応でき、さらに寝たきり状態の患者にも仰臥位のままボードをベッド上に設置することで使用可能である。
【発明を実施するための最良の形態】
【０００７】  下駄型ペダル本体（１）に鼻緒穴（４）を設ける。
鼻緒穴（４）に鼻緒（２）に設ける。
下駄型ペダル本体（１）の底面の四隅にローラー（３）を設ける。
以上のように構成された下駄型ローラーペダル運動装置。
本発明を使用するときは、椅子座位で両足に本ペダルを履き、左右の下肢で同時に床面滑走運動を実施することで両側下肢での協調性運動にもなる。
さらに、椅子座位になり前方に同様の本ペダルを履いた相手を椅子座位させてパックを蹴り合う運動でさらに高いレベルの下肢関節固有感覚促通運動が期待できる。
特に高齢者の転倒事故防止対策として、立ち上がり時には底板の４隅に設置したローラーが板の中に沈み込む仕組みとした。
下駄型ローラーペダルに足を載せ足指で鼻緒を挟み込み、足指でのペダルの固定力を強化できる。
滑走運動をしやすくして自由に床面を滑走させて股関節、膝関節、足関節の各関節の運動制御の練習装置になる。
下駄型ローラーペダルに足部を載せて鼻緒を足指で差し込み、挟み続けることで足指把握力・足指内転筋力の筋力強化運動も同時に実施可能である。
【図面の簡単な説明】
【０００８】
【図１】  本発明の斜視図である。
【図２】  本発明の側面図である。
【図３】  本発明の裏面図である。
【符号の説明】
【０００９】      １  下駄型ペダル本体
２  鼻緒
３  ローラー
４  鼻緒穴
【図１】
2008295980.tif 000003
【図２】
2008295980.tif 000004
【図３】
2008295980.tif 000005
(57)【要約】【課題】  内側（１）を低く、外側（２）を高くしたことで、膝軟骨の片側に掛かりがちだった負荷が均等になり、膝に無理のない歩行ができるようにした。また、この形状は外反母趾にも優しい。Ｏ脚の予防矯正の為ばかりでなく、膝痛の予防改善にも繋がる健康具を提供する。【解決手段】  内側（１）と、外側（２）との、高低差を付けたことを特徴とする。【選択図】図１
2008295975.tif 000002
【特許請求の範囲】
【請求項１】
靴の中敷き裏側に、接着剤で図面（２）を貼り付けた靴の中敷。
【発明の詳細な説明】
【発明の詳細な説明】
【０００１】  この発明は、靴の中敷きの裏側に図面（２）を、接着剤で貼り付けて高低差を付けた靴の中敷である。
従来の靴の中敷は、消臭、通気等が考慮され、弾力性はあるものの平面なものが多かった。その平面だった靴の中敷を、図面で説明すれば、図面（１）で見るように、足の外側と内側の高低差をつけた。
本発明は、このような構造であるから、膝軟骨の片側に片寄りがちだった負荷が均等になる。また、膝に無理のない歩行が出来るようになるため、Ｏ脚の予防・矯正は素より、膝痛の予防改善にも繋がる健康具としての特徴を有している。
【図面の簡単な説明】
【０００２】
【図１】  本発明の靴中敷き裏側の平面図である。
【図２】  本発明の貼付部品の斜視図である。
【図３】  本発明の断面図である。
【符号の説明】
【０００３】１．内側    ２．外側    ３．貼付部品    ４．中敷きの表面
【図１】
2008295975.tif 000003
【図３】
2008295975.tif 000004
(57)【要約】【課題】  耐候性や耐酸性に優れ、強い日光や酸性雨に対しても劣化することなく光触媒作用を長期に渡って持続できる光触媒吹付材を提供する。【解決手段】  アルミナセメント１００重量部に対して、シリカヒュームを１〜２５重量部、アナターゼ型酸化チタンを３〜３０重量部混合する。セメント基材としてアルミナセメントにシリカヒュームを混合したものを用いたから、アルミナセメントの耐酸性に優れ、白華しにくい性質により、強い日光や酸性雨に対しても劣化することなく光触媒作用を長期に渡って持続できる。【選択図】図１
2008007368.tif 000002
【特許請求の範囲】
【請求項１】
アルミナセメントとシリカヒュームを主成分とするセメント基材に光触媒である酸化チタンを混合した、光触媒吹付材。
【請求項２】
酸化チタンがアナターゼ型である、請求項１記載の光触媒吹付材。
【請求項３】
アルミナセメント１００重量部に対して、シリカヒュームを１〜２５重量部、酸化チタンを３〜３０重量部混合した、請求項１又は２記載の光触媒吹付材。
【請求項４】
増量材である珪砂と粘結剤と顔料を混合した、請求項１〜３いずれか記載の光触媒吹付材。
【発明の詳細な説明】
【技術分野】
【０００１】
本発明は、セメントを基材とした光触媒吹付材に関する。
【背景技術】
【０００２】
従来、セメントを基材とした光触媒吹付材が特許文献１に開示されている。この技術は、普通ポルトランドセメント５０〜９０重量％と、シリカヒューム３〜１５重量％と、アナターゼ型酸化チタン５〜４０重量％を混合したことを特徴としており、この光触媒吹付材を例えばコンクリート仕上げが求められる建築物の外壁等に吹き付けると、紫外線による光触媒作用で大気中のＮＯｘ・ＳＯｘや壁面に付着した油分等の汚れを自然分解できるというものである。
【０００３】
ところで、前記技術ではセメント基材に普通ポルトランドセメントを用いているから、長期に渡って使用すると強い日光や酸性雨で劣化し、耐候性や耐酸性に満足できるものではなかった。
【特許文献１】特開平１１−２６３６６０号公報
【発明の開示】
【発明が解決しようとする課題】
【０００４】
本発明が解決しようとする課題は、従来のこれらの問題点を解消し、耐候性や耐酸性に優れた光触媒吹付材を提供することにある。
【課題を解決するための手段】
【０００５】
かかる課題を解決した本発明の構成は、
１）  アルミナセメントとシリカヒュームを主成分とするセメント基材に光触媒である酸化チタンを混合した、光触媒吹付材
２）  酸化チタンがアナターゼ型である、前記１）記載の光触媒吹付材
３）  アルミナセメント１００重量部に対して、シリカヒュームを１〜２５重量部、酸化チタンを３〜３０重量部混合した、前記１）又は２）記載の光触媒吹付材
４）  増量材である珪砂と粘結剤と顔料を混合した、前記１）〜３）いずれか記載の光触媒吹付材
にある。
【発明の効果】
【０００６】
本発明によれば、セメント基材としてアルミナセメントにシリカヒュームを混合したものを用いたから、アルミナセメントの耐酸性に優れ、白華しにくい性質により、強い日光や酸性雨に対しても劣化することなく光触媒作用を長期に渡って持続できる。
【発明を実施するための最良の形態】
【０００７】
本発明の混合比としては、アルミナセメント１００重量部に対して、シリカヒューム１〜２５重量部、酸化チタン３〜３０重量部の範囲が実用的である。シリカヒュームが２５重量部以上であるとアルミナセメントとの混合物において分散性が悪くなり、固化物の強度が弱くなるという問題があり、１重量部以下であるとシリカヒュームによる強度増大、良好な流動性、耐久性の向上の効果が得られないという問題がある。また、酸化チタンが３０重量部以上であると吹き付け後に酸化チタンが脱落するという問題があり、３重量部以下であると光触媒の効果が得られないという問題がある。
【０００８】
酸化チタンとしては、アナターゼ型とルチル型の２つの結晶構造があり、光触媒の効果が高いアナターゼ型が用いられる。増量材としては珪砂や洗い砂等が用いられ、粘結剤としては変性セルロース・ポリビニルアルコール樹脂等が用いられる。着色する場合は顔料も必要に応じて所定量が混合される。
【０００９】
以下、本発明の実施例を具体的に説明する。
【実施例１】
【００１０】
本実施例と従来例の光触媒吹付材の配合成分を表１に示す。本実施例の光触媒吹付材と従来例の光触媒吹付材の防汚性・空気浄化能力・耐候性・耐酸性・物性を比較した。試験体はセメント板材の表面に光触媒吹付材を０．２５ｇ（膜厚１〜２ｍｍ）吹き付けたものを使用した。
【００１１】
【表１】
2008007368.tif 000003
【００１２】
＜防汚性＞
本実施例と従来例の試験体の表面に薫煙で汚れを付けて下半分をアルミニウム箔で覆い、日照下に１日放置した。各試験体はアルミニウム箔で覆っていない部分は光触媒作用で汚れがほとんど分解されており、本実施例と従来例ともに同等の防汚効果が確認された。
【００１３】
＜空気浄化能力＞
本実施例と従来例の試験体を２．３Ｌのデシケータに配置して初期濃度５０ｐｐｍのホルムアルデヒドを導入し、２時間経過後の濃度を測定した。結果を図１に示す。このように、本実施例の光触媒吹付材は従来例と比較して優れた空気浄化能力を有していることが確認された。
【００１４】
＜耐候性＞
デューサイクルウェザーメーターによる試験で、２６４時間は約１０年に相当する。結果を表２に示す。このように、本実施例の光触媒吹付材は従来例と比較して優れた耐候性を有していることが確認された。
【００１５】
【表２】
2008007368.tif 000004
【００１６】
＜耐酸性＞
本実施例と従来例の試験体を濃硫酸２０倍希釈水溶液に下半分を浸漬し、２４０時間経過後の状態を観察した。従来例の試験体は浸漬部分のセメントが表面より２ｍｍ程侵食していたが、本実施例の試験体はほとんど変化がなく、耐酸性についても優れていることが確認された。
【００１７】
＜物性＞
物性については表３に示す。特に曲げ強度や圧縮強度に優れていることが確認された。
【００１８】
【表３】
2008007368.tif 000005
【産業上の利用可能性】
【００１９】
本発明の光触媒吹付材は、建築物の外壁・道路の遮音壁等に有用である。
【図面の簡単な説明】
【００２０】
【図１】実施例と従来例の光触媒吹付材の空気浄化能力の比較を示すグラフである。
【図１】
2008007368.tif 000006